(57)【特許請求の範囲】
【請求項１】
手術用顕微鏡に被せることによって、手術用顕微鏡の外表面を滅菌状態に保つ手術用顕微鏡の滅菌ドレープにおいて、
前記顕微鏡の外観形状と略同一の外形状を有し、
前記顕微鏡の可動部に対しては、変形可能な部材が配置され、
前記可動部以外の少なくとも一部に対しては、前記顕微鏡に固定可能で、かつ、実質的に変形不可能な部材が配置されることを特徴とする手術用顕微鏡の滅菌ドレープ。
【請求項２】
前記変形可能な部材と、実質的に変形可能な部材とは、別体で構成されていることを特徴とする請求項１に記載の滅菌ドレープ。
【請求項３】
前記実質的に変形不可能な部材は、手術器具を保持する保持手段を備えていることを特徴とする請求項１もしくは請求項２に記載の滅菌ドレープ。
【請求項４】
手術用顕微鏡の鏡体全体と略同一外形状であって、当該鏡体全体を被い得る、または、前記鏡体の少なくとも一部と略同一外形状であって、当該一部を被い得る部分と、
前記顕微鏡の鏡体を操作するための操作ノブと略同一の外形状の取付部と
を一体的に有することを特徴とする手術用顕微鏡の滅菌ドレープ。
【発明の詳細な説明】
【０００１】
【発明の属する技術分野】
この発明は、マイクロサージャリーに使用される手術用顕微鏡に関する。
【０００２】
【従来の技術】
近年、手術手法、手術用具の発達に伴いマイクロサージャリーが頻繁に行われるようになってきている。マイクロサージャリーには術部を拡大観察するために手術用顕微鏡が用いられる。この手術用顕微鏡の滅菌方法は、あらかじめ滅菌状態になっているドレープを手術用顕微鏡に被せてその外側を無菌状態にさせる方法が一般的である。
【０００３】
また、手術中に術者が操作する可能性のある手術用顕微鏡の操作部に滅菌されたキャップを取り付け、術者の滅菌状態を保つ方法として、例えばＵＳＰ５０３６４４６に示されるようなランプ操作用滅菌キャップが知られている。
【０００４】
また、従来、手術用顕微鏡を滅菌状態で使用するためＵＳＰ３６９８７９１に示されたドレープが用いられてきた。これは基本的に手術用顕微鏡の形に象った変形可能な袋状のもので、一気に手術用顕微鏡の全体を覆うことができる。
【０００５】
これとは別にＵＳＰ５３５５２９２に示されたようなオートクレーブ等により滅菌可能なカバーを術中使用する手術用顕微鏡の各操作ハンドルに挿着し、術者がこの部分のみ操作することで滅菌状態を保つこともある。
【０００６】
また、袋状のドレープを挿着後に余分なたるみをなくすために、前記ＵＳＰ３６９８７９１のＦｉｇ１１に示されたバンドが用いられる。また挿着後に不要な部分を切り離すために、ＵＳＰ４０４５１１８やＵＳＰ４５６１５４０に示されたドレープの一部に形成される切り取りライン（ＵＳＰ４０４５１１８、Ｆｉｇ３）が用いられる。
【０００７】
さらに、近年、特開平６−１９６号公報に示すように、手術用顕微鏡の死角部分を内視鏡を用いて観察するようになってきた。内視鏡は体腔内に挿入するため手術用顕微鏡とは別に単独で滅菌される。したがって、特開平６−１９６号公報の図１に示すように手術用顕微鏡と内視鏡とが一体になっている場合は、手術用顕微鏡のドレープの一部に内視鏡の対物レンズ先端が露出するような穴を設けている。
【０００８】
ドレープは、一般に前記ＵＳＰ３６９８７９１のＦｉｇ２に示すように、いく重にも畳まれて病院に提供され、Ｆｉｇ３からＦｉｇ６の手順で袋状に広げられていく。袋状の内側、すなわち覆ったときに手術用顕微鏡と接する側は不潔な人でも触れられるので、この側が外側になるように畳まれている。
【０００９】
また、ＵＳＰ５３５５２９２に示されたようなカバーには操作ハンドル操作時に不潔な部分に触れにくくするため、Ｆｉｇ３に示すカバーフランジ５８が設けられている。
【００１０】
ＵＳＰ３６９８７９１のドレープは一気に覆える便利さがある半面、Ｆｉｇ１１のごとく余分なたるみを各所で抑えこまなければならない。余分なたるみは術中、術者の手術作業の邪魔になったり、あるいは術者が術部を裸眼視するときの視野の妨げになるもので、手術効率を低下させる原因になる。しかしながら、ドレープの抑えこむ場所を増したり、抑えこみ量を増したりすると、手術用顕微鏡の相対運動部、たとえば鏡体を移動させるためのアームの動きを悪化させてしまい手術用顕微鏡本来の能力を発揮できないこともある。
【００１１】
また、このような相対運動部の動きの調子を見ながら抑えこむことは非常に煩わしい作業となることは説明するまでもない。またドレープで覆われた部分の手術用顕微鏡の操作、たとえば眼幅調節や手動での変倍は、ドレープを介して操作部を把持して行うことになるが、手術用顕微鏡とドレープの間にすべりを生じ操作性を低下させている。
【００１２】
ＵＳＰ３６９８７９１のドレープは袋状をなしているため、手術用顕微鏡の最大体積部分が通るだけの口径が必要となり、余分なたるみが非常に多い。また、前記ＵＳＰ３６９８７９１に示されたバンドでは、上述のごとくたるみを取ること自体困難な上、術中の手術用顕微鏡の相対運動部の動作によりバンドがずれ、たるみを増調させることもある。
【００１３】
また、ＵＳＰ４０５１１８やＵＳＰ４５６１５４０による不要部分の切り離しは切り離し時に手術用顕微鏡に不用意に力をかけてしまうため接眼レンズの視度調節環を回して視度をくるわせたり、さらには故障の原因にもなりかねない。
【００１４】
手術用顕微鏡と内視鏡とが一体になっている状態にドレープを覆うと袋状の内側が前述のごとく不潔になっている可能性があるため、単独で滅菌された内視鏡を不潔にしてしまう。また内視鏡の対物レンズ先端を露出するための穴は同時に手術用顕微鏡も露出させる可能性があり滅菌の確実性が低下してしまう。
【００１５】
ドレープは、通常それを介して手術用顕微鏡の操作を行うため透明なビニールで作られている。いく重にも畳まれている場合、どこが内側でどこが外側か区別がつきにくく滅菌状態を保つべき部分まで不潔にしかねない。
【００１６】
また、ＵＳＰ５３５５２９２に示されたカバーには前述の理由でカバーフランジが設けられているが、ドレープ使用時のごとく術者が接眼レンズから目を離さずに操作ハンドルを操作するほどの効果はなく、接眼レンズからいちいち目を離すことによる手術効率の低下を招く。
【００１７】
【発明が解決しようとする課題】
ところで、ドレープは装着性を良くし、かつ装着後の手術用顕微鏡の操作性を妨げないようにするため手術用顕微鏡よりも大きく作られている。そして、ドレープを手術用顕微鏡に覆い、その余分なドレープをまとめる方法としては、ゴムまたは紐によりドレープを束ねて手術用顕微鏡の支持アーム等に固定する方法が一般的である。
【００１８】
しかし、ドレープを使用する際には手術用顕微鏡の可動部の妨げにならないようにドレープに余裕を持たせる必要があり、かかる固定法では実際に手術用顕微鏡を操作しながらドレープの弛み具合を調節しなければならず手術前の準備に手間が掛かっていた。さらに、ドレープを弛ませることによって術者の視野の妨げになったり、不潔物に触れ易いと言った問題がある。また、ドレープは使い捨てでありランニングコストが掛かってしまうという問題があった。
【００１９】
また、前記ＵＳＰ５０３６４４６に示されるような滅菌キャップの場合は、キャップで覆われた部分以外は不潔であり、手術中に術者が誤って不潔部分を触ってしまう虞があった。また、手術用顕微鏡の複数の操作部を操作する場合には、それぞれの操作部に滅菌キャップが必要であり手術前の準備に時間がかかってしまっていた。すなわち両者ともに使い難いものであった。
【００２０】
この発明は、前記事情に着目してなされたもので、その目的とするところは、鏡体全体を容易に滅菌状態にすることができ、手術前の準備に手間が掛からず、またキャップを鏡体に確実に保持できる手術用顕微鏡を提供することにある。
【００２１】
【課題を解決するための手段】
この発明に係る手術用顕微鏡の滅菌ドレープは、手術用顕微鏡に被せることによって手術用顕微鏡の外表面を滅菌状態に保つものであり、前記顕微鏡の外観形状と略同一の外形状を有し、前記顕微鏡の可動部に対しては、変形可能な部材が配置され、前記可動部以外の少なくとも一部に対しては、前記顕微鏡に固定可能で、かつ、実質的に変形不可能な部材が配置されることを特徴とする。
また、前記変形可能な部材と、実質的に変形可能な部材とは、別体で構成されていることが好適である。
また、前記実質的に変形不可能な部材は、手術器具を保持する保持手段を備えていることが好適である。
また、この発明に係る手術用顕微鏡の滅菌ドレープは、手術用顕微鏡の鏡体全体と略同一外形状であって、当該鏡体全体を被い得る、または、前記鏡体の少なくとも一部と略同一外形状であって、当該一部を被い得る部分と、前記顕微鏡の鏡体を操作するための操作ノブと略同一の外形状の取付部とを一体的に有することを特徴とする。
【００２２】
鏡体にキャップを装着し、鏡体を滅菌状態にて使用する場合には、術者もしくは作業者があらかじめ滅菌したキャップを開口させ、鏡体の上方からキャップを挿入していく。さらに、鏡体の形状に合わせてキャップを鏡体に密着させながら開口を閉じると、鏡体に設けられた保持部にキャップに設けられた取付穴とが嵌着される。したがって、鏡体全体がキャップによって覆われ、しかも鏡体に対してキャップが装着される。
【００２３】
【発明の実施の形態】
以下、この発明の各実施形態を図面に基づいて説明する。
【００２４】
図１〜図７は第１の実施形態を示し、図１は手術用顕微鏡の全体の構成を示している。１は三次元的に移動・固定可能な図示しないアームに取り付けられた鏡体であり、これは本体部２と鏡筒部３とから構成されている。本体部２の下部には対物レンズ４が設けられ、鏡筒部３の側部には斜めに接眼レンズ５が設けられている。術者６から見た前記本体部２の左右側面には、略円柱形状の保持部７が突出して設けられている。
【００２５】
図２は前記鏡体１に取り付け可能なキャップ８の全体を示し、これはオートクレーブ滅菌が可能なゴム等の弾性材料から形成されている。このキャップ８の内部形状は前記鏡体１とほぼ同一な形状となっており、鏡体１を全体的に覆うことが可能な大きさである。キャップ８の左右側面の内側には前記鏡体１にキャップ８を装着した際、保持部７に固定可能な位置及び大きさの取付部９が設けられている。
【００２６】
さらに、前記キャップ８の前部にはキャップ８を鏡体１に装着する際には前記鏡体１が充分に装着可能な大きさまでキャップ８を開口させることができる開口部１０が設けられている。この開口部１０の全周縁には前記鏡体１に前記キャップ５を装着させた後に、前記鏡体１が露出することなく閉口させることが可能な鍔（図示しない）が設けられている。
【００２７】
さらに、前記キャップ８の上部には前記接眼レンズ５に嵌着可能な接眼レンズカバー部１１が設けられ、キャップ８の下部には鏡体１に装着した際、前記対物レンズ４を通過する光束を遮断することがないように対物窓１２が設けられている。
【００２８】
次に、図３及び図４を用いて保持部７及び取付部９の構成を説明する。
【００２９】
図３は、保持部７の全体構成を示し、１３は円柱形状をした突出部であり、その先端部には取付部９に対して挿入性を良くするための面取り１３ａが施されており、さらに突出部１３の根元部にはその近傍を一周するように環状溝１４が設けられている。
【００３０】
図４は、取付部９の全体構成を示し、１５は内部形状が前記突出部１３と略同一形状の取付穴であり、これは前記突出部１３が挿入かつ嵌着可能な大きさに形成されている。この取付穴１５の開口縁部には取付穴１５の入口近傍を一周するように環状凸部１６が設けられている。この環状凸部１６の内径は前記突出部１３の外径より小さく、また幅は前記環状溝１４の幅よりも小さく構成されており、環状溝１４と環状凸部１６は嵌着可能な構成となっている。
【００３１】
次に、前述のように構成された鏡体１とキャップ８の作用について説明する。まず、鏡体１にキャップ８を装着し、鏡体１を滅菌状態にて使用する場合には、図５に示すように、術者６もしくは作業者があらかじめ滅菌したキャップ８の開口部１０を開口させた状態にし、鏡筒部３の上方からキャップ８を挿入していく。次に、前記キャップ８を変形させながら接眼レンズ５を接眼レンズカバー部１１に挿入させていき、接眼レンズ５と接眼レンズカバー部１１とを嵌着させる。
【００３２】
さらに、鏡筒部３および本体部２の形状に合わせてキャップ８を鏡筒部３および本体部２に密着させながら開口部１０を閉じていく。次に、図６に示すように、前記キャップ８に設けられた取付部９を変形させて取付穴１５に突出部１３を挿入していく。すると、図７に示すように、前記鏡体１に設けられた保持部７の突出部１３とキャップ８に設けられた取付穴１５とが嵌着される。さらに、前記環状溝１４及び環状凸部１６とが嵌着されることにより、前記鏡体１全体がキャップ８によって覆われ、しかも鏡体１に対してキャップ８を確実に装着することができる。
【００３３】
前記実施形態によれば、鏡体１を構成する本体部２にキャップ８が取付可能な保持部７を設けたという簡単な構成により実施可能である。ところで、従来の滅菌可能なキャップは操作部のみに限定して取り付けられるものであり、キャップのみで鏡体全体を滅菌状態にすることは困難であった。また、鏡体全体を覆うのと同様の効果を得るためには、複数のキャップを使用しなければならなかった。しかし、前述のように鏡体１の全体を覆うことが可能な滅菌可能なキャップ８に開口部１０を設けると共に、ゴム等の弾性部材で構成し、鏡体１に装着する際に大きく開口させることができるようにしたため装着性が非常に良い。さらに、キャップ８を一体に形成したため作業性がよく手術前に手間がかからないという効果がある。
【００３４】
また、本実施形態において、本体部２とキャップ８を固定する手段として、それぞれに保持部７及び取付部９を設けているが、それを相反する極をもつ磁性体をそれぞれに設けることによっても同様の効果が得られることは言うまでもない。
【００３５】
図８〜図１２は第２の実施形態を示し、第１の実施形態と同一構成部分については同一番号を付し、その説明を省略する。
【００３６】
図８は、手術用顕微鏡の全体構成を示している。接眼レンズ５の接眼本体部１７には視度調整リング１８が設けられている。この視度調整リング１８は接眼本体部１７に対して接眼レンズ５の観察光軸Ｏ1 回りに回動自在させることにより、接眼レンズ５の一部のレンズを観察光軸Ｏ1 に沿って移動させ視度を調整することができるようになっている。
【００３７】
鏡体１の本体部２には接眼レンズ５を有し、本体部２に対して接眼レンズ５の角度を矢印ａ方向に変更自在な傾斜鏡筒部１９が設けられている。この傾斜鏡筒部１９の術者６から見た左右側面には、この発明の保持部に相当する周知の眼幅調整機構の眼幅調整ノブ２０が設けられている。この眼幅調整ノブ２０は回転軸Ｏ2 を中心軸とした円筒形状で、回転軸Ｏ2 回りに回転させることによって、両接眼レンズ５の間隔を変更可能になっている。
【００３８】
さらに、前記眼幅調整ノブ２０と同様に本体部２の左右側面には回転軸Ｏ3 回りに回転させることによって、本体部２に内蔵された変倍レンズ（図示しない）を移動させ、観察倍率を変更可能な、この発明の保持部に相当する変倍ノブ２１が設けられている。この変倍ノブ２１も前記回転軸Ｏ3 を中心軸とした円筒形状をなしている。また、前記眼幅調整ノブ２０および変倍ノブ２１には、それぞれ外周を一周するようなＶ溝２２が設けられている。
【００３９】
次に、図９を用いて鏡体１、つまり前記本体部２及び傾斜鏡筒部１９に取付可能なキャップ２３について説明する。キャップ２３はオートクレープ滅菌が可能な硬質材料及び一部ゴム等の弾性材料からなり、左側キャップ２３ａ及び右側キャップ２３ｂで構成されている。前記キャップ２３は右側キャップ２３ｂに設けられた取付ピン２４と、左側キャップ２３ａに設けられ、前記キャップ２３を鏡体１に装着した際、前記取付ピン２４の相対位置に当たる部分に設けられたピン受け２５との嵌着によって一体化できるようになっている。
【００４０】
前記キャップ２３を鏡体１に装着した際、前記キャップ２３の前記本体部２と前記傾斜鏡筒部１９との可動部分に相当する部分にはゴム等の弾性材料からなり変形自在な蛇腹２６が設けられている。さらに、術者６から見たキャップ２３の左右側面には前記傾斜鏡筒部１９に設けられた眼幅調整ノブ２０に嵌着可能な硬質材料からなる眼幅調整キャップ２７が設けられていると共に、変倍ノブ２１に嵌着可能な硬質材料からなる変倍キャップ２８が設けられている。
【００４１】
次に、図１０を用いて接眼レンズカバー部１１の説明をする。２９は視度調整キャップであり、この視度調整キャップ２９は前記視度調整リング１８の外周より小さな内周で、視度調整リング１８が嵌着可能な内部形状に形成され、外周部にはフランジ３０が設けられている。
【００４２】
前記視度調整キャップ２９には前記接眼レンズ５が観察可能な接眼窓３１が設けられている。さらに、視度調整キャップ２９には紙面に対して上下左右及び垂直方向に変形自在なゴム等の弾性材料からなる蛇腹３２が設けられている。前記視度調整キャップ２９の脱落防止のためフランジ３０を保持するフランジ受け３３が設けられ、このフランジ受け３３は視度調整キャップ２９を接眼レンズ５の観察光軸Ｏ1 回りに回動自在に保持している。
【００４３】
次に、図１１を用いて眼幅調整キャップ２７及び変倍キャップ２８の説明をするが、この眼幅調整キャップ２７と変倍キャップ２８は同一構造であるので、眼幅調整キャップ２７の説明のみ行う。眼幅調整キャップ２７の外周部にはフランジ３４が設けられている。また、眼幅調整キャップ２７の内周には眼幅調整ノブ２０に設けられたＶ溝２２に嵌着可能なゴム等の弾性材料からなるＯリング３５が接着されており、このＯリング３５の内周は眼幅調整ノブ２０の外周よりも小さく構成されている。さらに、キャップ２３には前記フランジ３４を保持し、前記キャップ２３に対して眼幅調整キャップ２７を眼幅調整ノブ２０の回転軸Ｏ2 回りに回動自在に保持して脱落防止をするフランジ受け３６が設けられている。
【００４４】
次に、前述のように構成された鏡体１とキャップ２３の作用について説明する。まず、鏡体１にキャップ２３を装着して使用する場合は、術者６もしくは作業者がキャップ２３を左側キャップ２３ａ及び右側キャップ２３ｂの状態に分解し、あらかじめ滅菌状態とする。次に、例えば左側キャップ２３ａについて接眼レンズカバー部１１の蛇腹３２を変形させながら傾斜鏡筒部１９の術者６から見て上方から左側キャップ２３ａを挿入し、接眼レンズ５に設けられた視度調整リング１８を接眼レンズカバー部１１の視度調整キャップ２９に嵌着させる。
【００４５】
さらに、蛇腹３２を変形させ術者６から見て傾斜鏡筒部１９の左右側面に設けられた眼幅調整ノブ２０に眼幅調整キャップ２７を嵌め込み、眼幅調整ノブ２０に設けられたＶ溝２２と眼幅調整キャップ２７に接着されたＯリング３５とを嵌着させる。同様に、術者６から見て前記本体部２の左右側面に設けられた変倍ノブ２１に変倍キャップ２８を嵌め込んでいきＶ溝２２とＯリング３５を嵌着させる。前述のように、眼幅調整ノブ２０及び変倍ノブ２１に設けられたＶ溝２２と、眼幅調整キャップ２７及び変倍キャップ２８に設けられたＯリング３５が嵌着することによって、前記鏡体１と左側キャップ２３ａが一体化される。右側キャップ２３ｂについても同様な手順にて本体部２及び傾斜鏡筒部１９に装着し、前記鏡体１と右側キャップ２３ｂとを一体化させた後に右側キャップ２３ｂに設けられた取付ピン２４と、左側キャップ２３ａに設けられたピン受け２５を嵌着させることによって前記左側キャップ２３ａと右側キャップ２３ｂが一体化し、前記鏡体１を露出させること無くキャップ２３によって覆うことができる。
【００４６】
次に、術者６が手術前に行う準備として、視度調整を行うために接眼レンズカバー部１１に設けられた視度調整キャップ２９をキャップ２３に対して観察光軸Ｏ1 回りに回転させると、視度調整キャップ２９に嵌着した視度調整リング１８が一体となって接眼本体部１７に対して動くことによって、術者６の所望する視度に接眼レンズ５の視度を調整することができる。この時、前記視度調整リング１８は接眼本体部１７に対して観察光軸Ｏ1 に沿って移動し、接眼レンズカバー部１１に設けられた蛇腹３２が変形する。
【００４７】
さらに、術者６が眼幅調整を行うために、眼幅調整キャップ２７をキャップ２３に対して回転軸Ｏ2 回りに回転させると、眼幅調整キャップ２７に嵌着した眼幅調整ノブ２０が一体となって傾斜鏡筒部１９に対し回転することにより、両接眼レンズ５の間隔を術者６の所望する間隔に変更することができる。
【００４８】
この時、接眼レンズ５の傾斜鏡筒部１９に対する移動によって視度調整キャップ２２は前記接眼レンズ５の視度調整リング１８と嵌着しているため接眼レンズ５の移動方向と同方向へ移動せしめられる。すると、前記視度調整キャップ２９を保持しているフランジ受け３３が一体となって同様に移動することによって蛇腹３２が変形する。
【００４９】
次に、手術中に術者６が所望する角度に本体部２に対して傾斜鏡筒部１９を矢印ａ方向に傾斜させるには、術者６がキャップ２３越しに傾斜鏡筒部１９を保持し、傾斜させたい方向へ傾斜させ、前記本体部２と傾斜鏡筒部１９との可動部と一体となってキャップ２３に設けられた蛇腹２６が変形することによって達成される。また、術者６が所望する倍率に観察倍率を変更する場合、変倍キャップ２８をキャップ２３に対して回転軸Ｏ3 回りに回転させることにより変倍ノブ２１と変倍キャップ２８がＶ溝２２とＯリング３５によって嵌着していることにより、前記変倍キャップ２８の回転と一体となって変倍ノブ２１が本体部２に対して回転することによって達成される。
【００５０】
前記実施形態によれば、通常、手術用顕微鏡に設けられている眼幅調整ノブまたは変倍ノブ等の操作ノブを滅菌可能なキャップの取付け部として兼用することによって、滅菌可能なキャップの取付けの際の特別な構造が不要である。
【００５１】
ところで、従来のオートクレープ滅菌が可能なキャップには前述のような可動する部分が無いため、可動部を有する鏡体にキャップを装着しようとする場合、可動するそれぞれの部分にキャップを設けるか、もしくは手術中に実際に操作し手で触れる操作部のみに限定しキャップを装着して使用する方法しかなかった。しかし、前述のように鏡体１の全体を覆うことが可能な滅菌可能なキャップ２３に変形自在なゴム等の弾性部材からなる蛇腹２６及び３２を設け、さらに鏡体１に設けられている視度調整リング１８、眼幅調整ノブ２０および変倍ノブ２１に嵌着かつ一体となって移動するキャップを設けたことにより可動部を有する前記鏡体１を操作できると共に、前記鏡体１全体を滅菌状態にて操作することができる。また、前記キャップ２３を左側キャップ２３ａ、右側キャップ２３ｂの２体に分割可能な構成とし、さらにキャップ２３の可動部以外を硬質材料にしたため、自立性があり装着性が非常によく、鏡体１全体を露出部分なく覆うことができる。
【００５２】
ところで、前記キャップ２３の左側キャップ２３ａ、右側キャップ２３ｂを一体化する手段として取付ピン２４とピン受け２５を用いているが、それを相反する極を持つ磁性体としたり、また図１２に示すように、左側キャップ２３ａ、右側キャップ２３ｂに互いに係合可能な係合爪３６を設けることによっても同様の効果が得られることは言うまでもない。
【００５３】
図１３及び図１４は第３の実施形態を示し、第１、２の実施形態と同一構成部分については同一番号を付し、その説明を省略する。
【００５４】
図１３は、手術用顕微鏡の全体構成を示している。傾斜鏡筒部１９の術者６から見て左右側面における内部には傾斜鏡筒部１９の外部方向へ磁力を発生させることが可能な、この発明の保持部に相当する第１の電磁コイル３７が設けられている。また、前記第１の電磁コイル３７と同様に本体部２の左右側面における内部には本体部２の外部方向に磁力を発生させることが可能な、この発明の保持部に相当する第２の電磁コイル３８が設けられている。
【００５５】
さらに、前記本体部２の下部には対物レンズ（図示しない）の対物レンズ枠３９が設けられ、第１の電磁コイル３７及び第２の電磁コイル３８は、術者６または作業者等がスイッチ等（図示しない）を操作することにより自由に磁力の発生をオン・オフすることができる構成となっている。
【００５６】
次に、図１４を用いて本体部２及び傾斜鏡筒部１９からなる鏡体１に取付可能な上部キャップ４０ａ及び下部キャップ４０ｂとからなるキャップ４０について説明する。上部キャップ４０ａはオートクレープ滅菌が可能な硬質材料と一部ゴム等の弾性材料から形成されている。上部キャップ４０ａの下部には傾斜鏡筒部１９に充分に装着可能な大きさである開口４１が設けられており、内部形状は傾斜鏡筒部１９と略同一形状に形成されている。
【００５７】
また、上部キャップ４０ａを傾斜鏡筒部１９に装着した場合、前記本体部２と傾斜鏡筒部１９との可動部に当たる部分には変形自在なゴム等の弾性材料からなる蛇腹４２が設けられている。さらに、上部キャップ４０ａの内部で、上部キャップ４０ａを傾斜鏡筒部１９に装着した際、前記第１の電磁コイル３７が発生させる磁力を受けることができる位置には磁力により傾斜鏡筒部１９に吸着することができる金属材料で構成された第１の吸着部４３が設けられている。
【００５８】
前記下部キャップ４０ｂはオートクレープ滅菌が可能な硬質材料から形成されている。この下部キャップ４０ｂの上部には本体部２に充分に装着可能な大きさの開口４４が設けられており、内部形状は前記本体部２と略同一形状に形成されている。
【００５９】
また、下部キャップ４０ｂの内部で、下部キャップ４０ｂを本体部２に装着した際、前記第２の電磁コイル３８が発生させる磁力を受けることができる位置には磁力により本体部２に吸着することができる金属材料で構成された第２の吸着部４５が設けられている。この下部キャップ４０ｂの下部には本体部２に設けられた対物レンズ枠３９に嵌着可能な形状及び大きさの対物レンズカバー部４６が設けられている。
【００６０】
前記第１と第２の電磁コイル３７，３８の発生させる磁力及び前記磁力によって得られる鏡体１と上部及び下部キャップ４０ａ，４０ｂとの吸着力の大きさは本体部２及び傾斜鏡筒部１９をあらゆる角度に傾斜させても上部及び下部キャップ４０ａ，４０ｂが落下しないのに充分な吸着力を得られる大きさである。さらに、上部キャップ４０ａの蛇腹４２の長さは、下部キャップ４０ｂの一部分を覆うことが可能な長さになっている。
【００６１】
次に、前述のように構成された鏡体１と上部及び下部キャップ４０ａ，４０ｂの作用について説明する。まず、本体部２及び傾斜鏡筒部１９からなる鏡体１に滅菌が可能な上部及び下部キャップ４０ａ，４０ｂを装着し、鏡体１を滅菌状態にして使用する場合は、術者６もしくは作業者が予め図示しないスイッチ等を操作して第１の電磁コイル３７及び第２の電磁コイル３８の磁力の発生をオフさせた状態で、予め滅菌状態にした上部キャップ４０ａを術者６から見た傾斜鏡筒部１９の上方から上部キャップ４０ａの開口４４を通して挿入し、接眼レンズ５を接眼レンズカバー部１１に嵌着させる。
【００６２】
次に、術者６が図示しないスイッチ等を操作し、第１の電磁コイル３７の磁力を発生させ、第１の吸着部４３が第１の電磁コイル３７の発生させる磁力によって前記傾斜鏡筒部１９と吸着することにより、上部キャップ４０ａと傾斜鏡筒部１９とが一体化される。
【００６３】
また、下部キャップ４０ｂを本体部２に装着する場合は、予め滅菌状態とした下部キャップ４０ｂを術者６から見て本体部２の下方から開口４４を通して挿入し対物レンズ枠３９と対物レンズカバー部４６を嵌着させる。さらに、術者６もしくは作業者が図示しないスイッチ等を操作し、第２の電磁コイル３８の磁力を発生させ、第２の吸着部４５が第２の電磁コイル３８の発生させる磁力によって本体部２と吸着することにより、下部キャップ４０ｂと本体部２とが一体化する。
【００６４】
また、手術中に術者６が所望する角度に傾斜鏡筒部１９を本体部２に対して傾斜させる場合には、術者６が上部キャップ４０ａ越しに傾斜鏡筒部１９を保持し、術者６の所望する位置まで傾斜鏡筒部１９を傾斜させ、ゴム等の弾性材料からなる上部キャップ４０ａに設けられた蛇腹４２が変形することによって達成される。
【００６５】
さらに、手術終了後、上部キャップ４０ａ及び下部キャップ４０ｂを鏡体１から取り外す場合には、術者６もしくは作業者が図示しないスイッチ等を操作し、第１及び第２の電磁コイル３７，３８が発生している磁力をオフすることによって第１及び第２の吸着部４３，４５と傾斜鏡筒部１９及び本体２との吸着力がなくなることにより達成される。
【００６６】
前記実施形態によれば、本体部２及び傾斜鏡筒部１９の内部に第１及び第２の電磁コイル３７，３８を設け、術者６もしくは作業者がスイッチ等により発生する磁力を自由にオン・オフさせることができるため滅菌可能な上部キャップ４０ａ及び下部キャップ４０ｂの脱着が容易となる。
【００６７】
また、第１及び第２の電磁コイル３７，３８の発生する磁力による吸着力によって確実に上部キャップ４０ａ及び下部キャップ４０ｂを保持することができる。また、本体部２及び傾斜鏡筒部１９の外表面に上部キャップ４０ａ及び下部キャップ４０ｂを取り付けるための取付部分を設ける必要がないので、前記本体部２及び傾斜鏡筒部１９の外観を簡素化させることができ清掃が行いやすい。
【００６８】
また、滅菌可能な鏡体１全体を覆うことができる上部キャップ４０ａ及び下部キャップ４０ｂのゴム等の弾性材料からなる蛇腹４２を上部キャップ４０ａに集め、簡単な形状の２体化としたことにより、キャップ４０を容易かつ安価に作成することができるばかりでなく、容易に鏡体１に脱着することができる。また、鏡体１にキャップ４０を装着した際、２体とした上部キャップ４０ａ及び下部キャップ４０ｂの境目部分を上部キャップ４０ａに設けられたゴム等の弾性材料からなる蛇腹４２によって覆うことにより、境目部分から本体部２もしくは傾斜鏡筒部１９が露出することがない。
【００６９】
さらに、本実施形態においてキャップ４０に対して吸着力を得るために第１及び第２の電磁コイル３７，３８を用いているが、これを永久磁石とすることによってより安価に作成することが可能である。
【００７０】
図１５〜図２０は第４の実施形態を示し、第１〜第３の実施形態と同一構成部分は同一番号を付して説明を省略する。図１５は鏡体１の全体構成を示している。鏡体１の本体部２における術者６から見て左右側面にはアダプター部４７が設けられている。このアダプター部４７は、観察焦点Ｐから接眼レンズ５１に導かれる観察光路を分割して出射することが可能であり、助手用等の補助観察装置が取付可能になっている。アダプター部４７には周知の助手用観察装置４８が着脱可能に取り付けられている。
【００７１】
助手用観察装置４８の接眼本体部４９には視度調整リング５０が設けられ、この視度調整リング５０を接眼本体部４９に対して回転軸Ｏ4 回りに回転させることによって視度調整が可能である。さらに、観察光軸が回転軸Ｏ4 である接眼レンズ５１及びこの接眼レンズ５１からの観察像を接眼レンズ５１の観察面に対し回転軸Ｏ4 回りに回転させることが可能な周知のイメージローテータ機構（図示しない）を内蔵しており、ローテータリング５２を助手用観察装置４８に対して回転軸Ｏ4 回りに回転させることによって、イメージローテータ機構を駆動させることができるようになっている。
【００７２】
５３は鏡筒部３の外周を１周するように設けられた、この発明の保持部に相当する取付溝であり、５４は術者６から見て本体部２の背面に縦方向２ケ所に設けられた、この発明の保持部に相当する取付溝である。
【００７３】
図１６を用いて前記本体部２及び鏡筒部３からなる鏡体１に取付可能な上部キャップ５５ａ及び下部キャップ５５ｂからなるキャップ５５について説明する。上部キャップ５５ａはオートクレープ滅菌が可能なゴム等の弾性材料から形成されている。この上部キャップ５５ａの下部には鏡筒部３に充分に装着可能な大きさである開口５６が設けられており、内部形状は鏡筒部３と略同一形状に形成されている。
【００７４】
また、上部キャップ５５ａの開口５６近傍には鏡筒部３の外周に設けられた取付溝５３と嵌着可能な突出部５７が設けられている。同様に下部キャップ５５ｂはオートクレープ滅菌が可能なゴム等の弾性材料から形成されている。この下部キャップ５５ｂには可撓性材料からなる金属板５８が複数枚挿入されており、下部キャップ５５ｂと一体に変形自在である。
【００７５】
また、下部キャップ５５ｂの大きさは本体部２の全周を覆うのに充分な大きさである。さらに、下部キャップ５５ｂには前記アダプター部４７が収納可能な内部空間を有している収納部５９が設けられていると共に、前記助手用観察装置４８に取り付け可能なカバー部６０が設けられている。
【００７６】
下部キャップ５５ｂの収納部５９及びカバー部６０の突出方向とは反対側の２ケ所に突出部６１が設けられ、これら突出部６１は本体部２に設けられた取付溝５４にそれぞれが取り付け可能である。
【００７７】
図１７を用いて取付溝５３及び５４と突出部５７及び６１を説明する。なお、取付溝５３と突出部５７及び取付溝５４と突出部６１との取付構造は同一であるので、説明は取付溝５３と突出部５４の説明のみ行うこととする。図１７は取付溝５３及び突出部５７の断面形状を示している、図１７に示すように取付溝５３の断面形状は溝の深さ方向の途中より底部まで幅が広くなっている形状をしており、また、突出部５７の断面形状は突出の高さ方向の途中から突出の先端まで幅が広くなっており、取付溝５３と略同一形状をなしている。また、突出部５７と取付溝５３の大きさの関係は略同一の大きさとなっている。
【００７８】
図１８を用いて助手用観察装置４８が取付可能なカバー部６０を詳細に説明する。下部キャップ５５ｂには一体に構成され助手用観察装置４８を充分に挿入することが可能な内部形状及び大きさの基根部６２が設けられている。この基根部６２にはこれと一部分で一体化された、図１９に示すように基根部６２に対して傾斜可能な第１カバー部６３が設けられている。さらに、この第１カバー部６３の内部には板ばね（図示しない）が挿入されている。
【００７９】
また、基根部６２には助手用観察装置４８の一部が通過可能な取付穴６２ａが設けられており、第１カバー部６３を基根部６２に対して傾斜させない場合には、第１カバー部６３によって取付穴６２ａが完全に外部に露出しない構成となっている。第１カバー部６３の先端部には第２カバー部６４が回動自在に取り付けられ、この第２カバー部６４にも同様に板ばねが挿入されている。
【００８０】
さらに、第２カバー部６４の先端部には変形自在な蛇腹６５及び接眼レンズカバー部６６を有する第３カバー部６７が取り付けられ、この第３カバー部６７にも同様に板ばねが挿入されている。また、接眼レンズカバー部６６の内部形状は接眼レンズ５１とほぼ同一形状であり、前記視度調整リング５０の外周より小さな内周を有しており、視度調整リング５０と嵌着することができる大きさとなっている。
【００８１】
また、前記第１カバー部６３、第２カバー部６４及び第３カバー部６７は、それぞれの回転軸方向に設けられた開口部６８をそれぞれ有している。また、開口部６８には助手用観察装置４８を装着した際、助手用観察装置４８が露出すること無く閉口させることができる鍔部（図示しない）が設けられている。
【００８２】
図２０を用いて第１カバー部６３と第２カバー部６４及び前記第２カバー部６４と第３カバー部６７との回動自在な連結部分の説明をする。なお、第１カバー部６３と第２カバー部６４の連結部分及び第２カバー部６４と第３カバー部６７の連結部分の構成は同一構成であるので、第１カバー部６３と第２カバー部６４との連結部分のみ説明する。
【００８３】
前記第２カバー部６４の端部にはフランジ部６９が設けられ、第１カバー部６３の端部にはフランジ部６９を回動自在に保持しているフランジ受け７０が設けられている。第１カバー部６３と第２カバー部６４とはフランジ部６９とフランジ受け７０によって互いに回動自在に保持されている。
【００８４】
次に、鏡体１に対してキャップ５５を装着する作用について説明する。
【００８５】
まず、本体部２及び鏡筒部３からなる鏡体１に滅菌可能な上部キャップ５５ａ及び下部キャップ５５ｂを装着し、術者６が鏡体１を滅菌状態として使用する場合は、術者６もしくは作業者が、予め滅菌を施した上部キャップ５５ａを術者６から見て鏡筒部３の上方から開口５６を通し装着させていき、ゴム等の弾性材料からなる上部キャップ５５ａを変形させながら接眼レンズ５と接眼レンズカバー部１１を嵌着させる。
【００８６】
さらに、突出部５７を変形させながら取付溝５３に嵌め込んでいき、鏡筒部３と上部キャップ５５ａとを一体化させる。次に、予め滅菌を施した下部キャップ５５ｂを本体部２に装着する場合には、助手用観察装置４８を下部キャップ５５ｂに設けられた基根部６２及び取付穴６２ａに接眼レンズ５１側より挿入していく。この時、基根部６２に対して第１カバー部６３を倒しておく。
【００８７】
さらに、第１カバー部６３、第２カバー部６４及び第３カバー部６７のそれぞれに設けられた開口部６８及び挿入されている板ばねを変形させて開口部６８を開口させ、助手用観察装置４８に装着し、蛇腹６５を変形させながら第３カバー部６７に設けられた接眼レンズカバー部６６を接眼レンズ５１の視度調整リング５０に嵌着させる。次に、下部キャップ５５ｂに設けられた突出部６１の一方を変形させながら本体部２に設けられた取付溝５４に嵌め込んでいく。
【００８８】
さらに、下部キャップ５５ｂに挿入された金属板５８を本体部２の形状に合わせながら変形させていき、アダプター部４７を収納部５７に収納し、残りの突出部６１を変形させながら取付溝５４に嵌め込んでいくことにより本体部２と下部キャップ５５ｂが一体化される。
【００８９】
次に、術者６が手術前に行う準備として、助手用観察装置４８に設けられた接眼レンズ５１の視度調整を行うために、カバー部６０に設けられた接眼レンズカバー部６６を回転軸Ｏ4 回りに第２カバー部６３に対して回転させると、接眼レンズカバー部６６に嵌着した接眼レンズ５１に設けられた視度調整リング５０が一体となって接眼本体部４９に対して回転することによって術者６の所望する視度に接眼レンズ５１の視度を調整することができる。この時、視度調整リング５０は接眼本体部４９に対して回転軸Ｏ4 に沿って移動するが、第３カバー部６７に設けられた蛇腹６５が変形するため、常に視度調整リング５０と接眼レンズカバー部６６は一体化したままである。次に、術者６が手術中に接眼レンズ５１からの観察像を回転軸Ｏ4 まわりに回転させるには、術者６が第２カバー部６４越しに助手用観察装置４８に設けられたローテータリング５２を助手用観察装置４８に対して回転させると、ローテータリング５２の回転と同時に第１カバー部６３及び第３カバー部６７に対して第２カバー部６４が回転することによって達成される。
【００９０】
前記実施形態によれば、鏡筒部３に取付溝５３、本体部２に取付溝５４を設けるという簡単な構成によって実施可能である。ところで、従来の滅菌可能なキャップは大きな弾性材料で作られている場合には形状が安定せず装着し難くく、さらに、装着しようとする物に対して密着させることができなかった。しかし、前述のように、鏡体１を構成する本体部２の全体を覆うことが可能な滅菌可能な下部キャップ５５ｂに金属板５８を挿入したことによって、滅菌し易い形状に下部キャップ５５ｂを変形させて滅菌することができ、本体部２の形状に合わせて下部キャップ５５ｂ及び金属板５８を変形させることができるので本体部２に密着させることができる。
【００９１】
また、助手用観察装置４８に取り付け可能なカバー部６０の各カバー部に、板ばねを挿入し、かつ助手用観察装置４８に装着する際、大きく開口することができる開口部６８を設けたことにより、助手用観察装置４８に容易に取り付けることができると共に、また助手用観察装置４８にカバー部６０を密着させることができる。
【００９２】
また、本実施形態における、下部キャップ５５ｂに挿入された金属板５８を形状記憶合金とし、滅菌をする際の高い温度時には滅菌後、装着し易いような形状に変形し、通常使用される時の温度時には本体部２及び鏡筒部３からなる鏡体１の形状に変形するように記憶させ、自己締付け力によって鏡体１に保持できるようにしてもよい。
【００９３】
図２１〜図２３は第５の実施形態を示す。図２１示す７１は滅菌消毒可能な、後述する手術用顕微鏡の鏡体部に覆い被せる滅菌ドレープの全体構成である。この滅菌ドレープ７１は、該滅菌ドレープ７１を手術用顕微鏡に装着した際、前記手術用顕微鏡の可動部としての外観形状が変化し得る部分には、変形可能なビニールもしくは布等の軟質部材からなる変形部７２と、外観形状が変化し得る部分以外の部分には、内部形状が前記手術用顕微鏡と同一の形状を有し、ゴム等の弾性材料からなる複数のキャップ部７３、７４及び７５とから構成されている。
【００９４】
前記滅菌ドレープ７１の変形部７２には手術用顕微鏡が十分に装着可能な大きさの開口部７６が設けられている。前記キャップ部７３には前記手術用顕微鏡に装着した際、観察光束を遮断することが無いような位置に対物窓７７が設けられている。同様に、前記キャップ部７４及び７５には手術用顕微鏡から出射される光束を遮断することが無く術者に導くための接眼窓７８が設けられている。
【００９５】
図２２は、前記滅菌ドレープ７１を装着する手術用顕微鏡の構成を示している。７９は三次元的に移動・固定可能な図示しないアームにとりつけられた顕微鏡であり、この顕微鏡７９は対物レンズ及び変倍光学系を内蔵する鏡体部８０、該鏡体部８０から出射される観察光束を２つに分割する中間鏡筒部８１及び２つの接眼鏡筒部８２で構成されている。
【００９６】
前記中間鏡筒部８１は鏡体部８０に対し、物体から対物レンズに至る光軸Ｏ5 まわりに回動自在に保持された助手用中間鏡筒部８３及び該助手用中間鏡筒部８３に対し、光軸Ｏ5 まわりに回動自在に保持された術者用中間鏡筒部８４で構成されている。前記接眼鏡筒部８２は、術者用中間鏡筒部８４及び助手用中間鏡筒部８３に対し、それぞれ回転軸Ｏ6 及びＯ7 まわりに回動自在に保持されている。前記接眼鏡筒部８２は接眼レンズ８５及び本体部８６及び取り付け部８７から構成され、前記本体部８６は前記取り付け部８７に対し、回転軸Ｏ8 及びＯ9 まわりに回転自在に構成されている。
【００９７】
以上のような構成により、手術用顕微鏡に滅菌ドレープ７１を装着し、前記顕微鏡７９を滅菌状態にて使用する場合には、予め滅菌消毒された滅菌ドレープ７１の開口部７６を開口させた状態にし、顕微鏡７９の下方から前記滅菌ドレープ７１を開口部７６より挿入していく。次に、キャップ部７３を鏡体部８０に挿入し、キャップ部７３の弾性力により鏡体部８０に固定する。
【００９８】
さらに、キャップ部７４及び７５を接眼鏡筒部８２に挿入し、同様にキャップ部７４及び７５の弾性力により固定する。前記キャップ部７３、７４及び７５は前記鏡体部８０及び接眼鏡筒部８２と同一形状をしており、キャップ部７３、７４及び７５に設けられた対物窓７７及び接眼窓７８を鏡体部８０に設けられた図示しない対物レンズ及び接眼レンズ８５を通過する光束を遮断しないように取り付け可能である。
【００９９】
術者が手術中にキャップ部７４または７５を介して接眼鏡筒部８２を保持し、顕微鏡７９の光軸Ｏ5 及び回転軸Ｏ6 乃至Ｏ9 まわりに接眼鏡筒部８２を移動させると、変形部７２が変形し、前記接眼鏡筒部８２を術者の所望する位置へ移動可能である。
【０１００】
前述した実施形態によれば、変形部７２と変形不可能なキャップ部７３、７４及び７５が一体に構成されているので、装着が容易であり、従来のドレープのみ使用した場合に比べドレープの余分なたるみをなくすことができる。更に、変形不可能なキャップ部７３、７４及び７５の顕微鏡７９への固定手段として、前記キャップ部７３、７４及び７５の弾性変形を用いているため、従来の手術用顕微鏡に専用の取り付け手段を設ける必要がない。
【０１０１】
また、前記滅菌ドレープ７１を再滅菌可能な材質にすることにより、使い捨ての物よりもランニングコストが抑えられる。さらに、前記変形部７２に設けられた開口部７６を図２３に示すように、装着時には開口部７６が大きく開口し、装着後には開口部７６を小さくできる周知のファスナー機構８８とすることにより、より装着性が良く、また装着後の変形部７２の顕微鏡７９に対する弛みを少なくすることができ、前記変形部７２による手術の阻害を防止できるという効果がある。
【０１０２】
図２４〜図３３は第６の実施形態を示し、第５の実施形態と同一構成部分は同一番号を付して説明を省略する。
【０１０３】
図２４は、顕微鏡７９に装着可能なドレープ８９を示し、従来と同様にビニール等の極薄かつ変形可能で、予め滅菌消毒されている。但し、従来のドレープは接眼レンズ８５に装着される部分にミシン目等の切り取り可能な部分が設けられているが、本実施形態で使用するドレープ８９は、切り取り可能な部分は必要としない。
【０１０４】
図２５を用いて前記顕微鏡７９に装着可能な滅菌キャップ９０を説明する。滅菌キャップ９０は前記ドレープ８９とは別体であり、内部形状は鏡体部８０と略同一形状をした変形不可能なプラスチック等の材料から形成されている。
【０１０５】
滅菌キャップ９０の両側縁には弾性力を有する変形可能な一対の爪部９１が設けられている。さらに、滅菌キャップ９０には前記鏡体部８０に装着した際、該鏡体部８０に設けられている対物レンズを通過する光束を遮ることのない対物窓９２が設けられている。
【０１０６】
また、図２６に示すように、対物窓９２の全周縁で、滅菌キャップ９０の内部側にはカッターの役目を果たすようテーパ部９３が設けられている。さらに、滅菌キャップ９０の内側には該滅菌キャップ９０を鏡体部８０に装着した際に余分なドレープ８９を収納することができる収納部９４が設けられている。
【０１０７】
図２５に戻って、９５も同様に前記ドレープ８９とは別体であり、内部形状が接眼鏡筒部８２と同一形状の変形不可能なプラスチック等の材料からなる滅菌キャップである。この滅菌キャップ９５の側縁部には弾性力を有する爪部９６が設けられている。
【０１０８】
９７は内部形状が前記接眼レンズ８５と同一形状である円筒形状の変形不可能なプラスチック等の材料からなる滅菌キャップであり、図２７に示されるように滅菌キャップ９７の一端にはカッターの役目を果たすようにテーパ部９８が設けられている。
【０１０９】
図２８は前記滅菌キャップ９０、９５及び９７が取り付け可能な鏡体部８０及び接眼鏡筒部８２を示し、図２８に示した部分以外の構成は第１の実施形態の図２２で示した構成と同様であるので説明を省略する。前記鏡体部８０の側面２箇所には保持部９９が設けられ、前記鏡体部８０に滅菌キャップ９０を装着する際、該滅菌キャップ９０に設けられた爪部９１と弾性的に係合して滅菌キャップ９０を保持するようになっており、前記爪部９１と相対する位置に配置されている。
【０１１０】
また、前記接眼鏡筒部８２には保持部１００が設けられ、前記接眼鏡筒部８２に滅菌キャップ９５を装着する際、滅菌キャップ９５に設けられた爪部９６と弾性的に係合して滅菌キャップ９５を保持するようになっており、前記爪部９６と相対する位置に配置されている。
【０１１１】
図２９は前記接眼鏡筒部８２に設けられた接眼レンズ８５の断面形状を示している。この接眼レンズ８５には該接眼レンズ８５の根元近傍を一周するように溝１０１が設けられている。また、前記鏡体部８０に設けられた対物レンズの外周にも同様な溝（図示しない）が設けられている。前記溝１０１の大きさは、前記滅菌キャップ９７に設けられたテーパ部９８と同一であり、また、前記鏡体部８０に設けられた対物レンズの外周の溝は、前記滅菌キャップ９０に設けられたテーパ部９３と同一である。
【０１１２】
前述したドレープ８９の装着方法は従来のドレープと同様であるので説明を省略する。以下の作業はすべてドレープ８９を装着した状態で行われる。図３０に示されるように、ドレープ８９を顕微鏡７９に装着した後、滅菌キャップ９５を該滅菌キャップ９５に設けられた爪部９６の方向と接眼鏡筒部８２に設けられた保持部１００との方向が一致するように、前記滅菌キャップ９５を前記接眼鏡筒部８２に挿入する。すると、前記爪部９６が弾性変形することにより前記保持部１００に入り込み、滅菌キャップ９５は前記接眼鏡筒部７２に対して固定される。
【０１１３】
次に、図３１（ａ）に示されるように、接眼レンズ８５に対してドレープ８９越しにキャップ９７をテーパ部９８側から挿入する。すると、図３１（ｂ）に示されるように前記接眼レンズ８５に設けられた溝１０１と前記滅菌キャップ９７との間にドレープ８９が挟まれる状態となり、前記滅菌キャップ９７に設けられたカッターの役目をなすテーパ部９８によりドレープ８９の一部が切断され、切断されたドレープ８９の一部を取り除くことにより、接眼レンズ８５から術者に導かれる観察光路が確保される。
【０１１４】
次に、図３２に示されるように滅菌キャップ９０を鏡体部８０に装着する際に、予め余分に弛んでいるドレープ８９を前記鏡体部８０の下部に集めて滅菌キャップ９０を鏡体部８０に装着していく。すると、前記滅菌キャップ９０に設けられた爪部９１が弾性変形することにより前記鏡体部８０に設けられた保持部９９に入り込み、前記滅菌キャップ９０と前記鏡体部８０が固定される。このとき、図３３に示されるように鏡体部８０の下部に集められている余分なドレープ８９は前記滅菌キャップ９０に設けられている収納部９４に収納される。
【０１１５】
また、前記滅菌キャップ９７の装着時の場合と同様に、対物窓９２の外周に設けられテーパ部９３と前記鏡体部８０の対物レンズの外周に設けられた溝との間にドレープ８９が挟まれる状態となり、前記対物窓９２の外周に設けられたカッターの役目をなすテーパ部９３によりドレープ８９一部が切断され、切断されたドレープ８９の一部を取り除くことにより前記鏡体部８０に設けられた対物レンズを通る光束が確保される。
【０１１６】
前述した実施形態によれば、変形可能なドレープ８９と変形不可能な滅菌キャップ９０、９５及び９７を別体とすることにより、従来のドレープをそのまま使用することが可能である。また、従来余分なドレープ８９を輪ゴム等を用いて鏡体部８０及び接眼鏡筒部８２に密着させていたが、前記変形不可能な滅菌キャップ９０、９５及び９７を用いることにより、誰が装着してもドレープ８９の余分な弛みを確実に抑えることができる。また、滅菌キャップ９０及び９７にドレープ８９を破断する手段を設けたことにより、ドレープ８９を破断する作業が容易であり、従来の如くミシン目等によりドレープ８９を破断させた場合に対し、手術用顕微鏡にドレープを装着させる際に誤ってドレープを破断させてしまう虞がない。
【０１１７】
図３４は第７の実施形態を示し、第５、第６の実施形態と同一構成部分は同一番号を付して説明を省略する。１０２は第６の実施形態の滅菌キャップ９０に相当する滅菌キャップであり、この滅菌キャップ１０２には手術において使用される手術器具１０４が保持・固定可能な保持穴１０５を有する保持部１０３が設けられている。
【０１１８】
前述した構成により、第６の実施形態と同様な方法で、前記顕微鏡７９の鏡体部８０に滅菌キャップ１０２を固定した後、顕微鏡７９以外に術者が使用する手術器具１０４、例えば、予め別の方法で滅菌消毒された内視鏡を前記保持穴１０５に挿入し、滅菌キャップ１０２に対して内視鏡を固定する、即ち顕微鏡７９に対しても内視鏡を固定することができる。
【０１１９】
したがって、前記滅菌キャップ１０２が顕微鏡７９の鏡体部８０に確実に固定されていることを生かし、前記滅菌キャップ１０２に手術器具１０４を保持する保持部１０３を設けたことにより、別の方法で滅菌消毒された手術器具１０４を不潔にすることなく顕微鏡７９に固定することができる。
【０１２０】
図３５および図３６は第８の実施形態を示し、第５、第６および第７の実施形態と同一構成部分は同一番号を付して説明を省略する。
【０１２１】
図３５はドレープ１０６を示し、このドレープ１０６は極薄かつ変形可能な予め滅菌消毒された円筒袋状体によって形成されている。このドレープ１０６には開口部１０７が設けられている。図３６に示す１０８は前記ドレープ１０６の円筒断面形状を有し、予め滅菌消毒された環状収納部材であり、ドレープ１０６が開口部１０７を開いた状態で折り畳まれて収納可能な収納部１０９を有している。前記ドレープ１０６の開口部１０７及び環状収納部材１０８の開口部１１０の大きさは顕微鏡７９を覆うのに十分な大きさに形成されている。
【０１２２】
以上のような構成により、顕微鏡７９の鏡体部８０に前記ドレープ１０６を装着し、顕微鏡７９を滅菌状態にして使用する場合には、術者若しくは作業者が前記環状収納部材１０８を保持し、顕微鏡７９の鏡体部８０から図示しない三次元的に移動・固定可能なアームまで前記環状収納部材１０８、即ちドレープ１０６の開口部１０７を通して前記ドレープ１０６の内部に入れる。その後、第６の実施形態と同様に、滅菌キャップ９０、９５及び９７を装着して固定する。
【０１２３】
したがって、変形可能なドレープ１０６が単純な円筒袋状体をなすと共に、該ドレープ１０６が円筒袋状の断面を象った環状収納部材１０８に収納されていることにより、装着時に外側か内側かの区別が付き易く、更に、装着自体環状収納部材１０８を顕微鏡７９に通すだけなので非常に装着性が良い。
【０１２４】
図３７〜図４０は第９の実施形態を示し、第５〜８の実施形態と同一構成部分は同一番号を付して説明を省略する。
【０１２５】
図３７及び図３８は、本実施形態の全体構成を示し、１１１は鏡体部８０の側面に設けられた変倍ノブ取り付け孔である。この変倍ノブ取り付け孔１１１には繰り返し滅菌消毒可能なプラスチック等の材料からなるノブ１１２が着脱自在に設けられている。
【０１２６】
図３９に基づいて前記変倍ノブ取り付け孔１１１及びノブ１１２を説明すると、１１３は前記鏡体部８０に対して回転軸Ｏ10まわりに回転させることにより、前記鏡体部８０の内部に設けられた図示しない変倍レンズを移動させ観察倍率を変更可能な円筒管である。前記円筒管１１３の内部には前記回転軸Ｏ10に平行な切り欠き部１１４が設けられており、前記切り欠き部１１４の一部には、更に段差１１５が設けられている。
【０１２７】
次に、前記変倍ノブ取り付け孔１１１に取り付け可能なノブ１１２の説明をする。１１６は繰り返し滅菌消毒可能なプラスチック等の材料からなる摘み部であり、この摘み部１１６の外観形状は円筒形をしており、前記鏡体部８０と前記円筒管１１３との隙間１１７に嵌着自在な構成となっている。また、前記摘み部１１６の内部には前記切り欠き部１１４と同一形状の弾性変形可能な爪部１１８が前記切り欠き部１１４と相対する位置に設けられている。前記爪部１１８の先端部には前記切り欠き部１１４に設けられた段差１１５と同一形状の突起部１１９が設けられている。前記摘み部１１６には前記爪部１１８を矢印１２１方向に弾性変形させるボタン部１２０が設けられている。
【０１２８】
次に、図４０に基づき前記鏡体部８０に取り付け可能な滅菌キャップ部１２２について説明する。但し、鏡体部８０への取り付け構造及び形状は第５の実施形態で示したキャップ部７３とほぼ同様であるため、その部分の説明は省略する。第５の実施形態で示したキャップ部７３に相当する滅菌キャップ部１２２には第５の実施形態と同様に変形可能な変形部７２が取り付けられている。
【０１２９】
前記滅菌キャップ部１２２の側面かつ前記鏡体部８０に設けられた変倍ノブ取り付け孔１１１に相対する位置には取り付け穴１２３が設けられている。この取り付け穴１２３の大きさは前記ノブ１１２が通るのに十分な大きさである。前記滅菌キャップ部１２２には前述した実施形態と同様に前記鏡体部８０に設けられた対物レンズを通過する光束を遮らない対物窓１２４が設けられている。
【０１３０】
以上のような構成により、顕微鏡７９に予め滅菌消毒された滅菌キャップ部１２２を含む滅菌ドレープ７１及びノブ１１２を装着し、顕微鏡７９を滅菌状態として使用する場合には、第５の実施形態と同様に滅菌ドレープ７１を装着し、滅菌キャップ部１２２を鏡体部８０に対して固定する。
【０１３１】
更に、前記滅菌キャップ部１２２に設けられた取り付け穴１２３を介して予め滅菌消毒されたノブ１１２を鏡体部８０に設けられた変倍ノブ取り付け孔１１１に対して切り欠き部１１４と前記ノブ１１２に設けられた爪部１１８を位置合わせをして取り付ける。このとき、前記爪部１１８に設けられた突起部１１９が前記切り欠き部１１４に接触することにより前記爪部１１８が矢印１２１方向に弾性変形する。
【０１３２】
さらに、前記ノブ１１２を前記変倍ノブ取り付け孔１１１に押し込んで行き、前記突起部１１９が前記切り欠き部１１４に設けられた段差１１５に位置すると前記爪部１１８の弾性力により前記爪部１１８は矢印１２１とは逆の方向へ変形し、前記段差１１５と突起部１１９が噛み合う。この作用により、前記鏡体部８０と前記ノブ１１２は固定される。これにより、前記顕微鏡７９は不潔部分を露出すること無く滅菌キャップ部１２２を含む前記滅菌ドレープ７１及びノブ１１２により覆われる。
【０１３３】
手術中、術者が観察倍率を変化させるべく、前記ノブ１１２を保持し、該ノブ１１２を回転軸Ｏ10まわりに回転させた場合、円筒管１１３に設けられた切り欠き部１１４と前記ノブ１１２に設けられた爪部１１８が同一形状をなしているため、前記ノブ１１２の回転はそのまま前記円筒管１１３へと伝達されることにより達成される。また、前記切り欠き部１１４に設けられた段差１１５と前記爪部１１８に設けられた突起部１１９が噛み合っているため、たとえ術者が誤ってノブ１１２を前記鏡体部８０に対して、回転軸Ｏ10の軸方向に引っ張っても前記ノブ１１２は前記鏡体部８０よりはずれることはない。
【０１３４】
手術後、前記滅菌キャップ部１２２を含む滅菌ドレープ７１及びノブ１１２を顕微鏡７９から取り外す場合には、術者若しくは作業者が前記ノブ１１２に設けられたボタン部１２０を前記ノブ１１２に対して押し込むことにより前記ボタン部１２０が爪部１１８を矢印１２１方向に弾性変形させる。次に、前記ボタン部１２０が前記爪部１１８を弾性変形させた状態で、鏡体部８０に対して前記ノブ１１２を回転軸Ｏ10の軸方向に引き抜くことにより前記鏡体部８０と前記ノブ１１２は再び分離することができる。
【０１３５】
前記滅菌キャップ部１２２を前記鏡体部８０に装着する際に、邪魔になるノブ１１２を着脱自在としたことにより、前記滅菌キャップ部１２２の装着性が非常に良い上、前記ノブ１１２を繰り返し滅菌可能とし、滅菌キャップ部１２２の一部としたことにより、前記滅菌キャップ部１２２を小型・軽量とすることが可能であるので、手術用顕微鏡本来の性能を十分発揮することができる。
【０１３６】
図４１および図４２は第１０の実施形態を示し、第５〜９の実施形態と同一構成部分は同一番号を付して説明を省略する。
【０１３７】
図４１は、本実施形態の全体構成を示し、鏡体部８０の側面には該鏡体部８０に対して回転軸Ｏ11まわりに回転させることにより、前記鏡体部８０に内蔵された図示しない変倍レンズを移動させ観察倍率を変更可能な変倍ノブ１２５が設けられている。この変倍ノブ１２５は前記鏡体部８０に対し、前記回転軸Ｏ11の軸方向に前記変倍ノブ１２５を押すことにより、前記変倍ノブ１２５が前記鏡体部８０の外表面より突出したり、外表面と同一面となる構成となっている。
【０１３８】
次に、図４２を用いて前記変倍ノブ１２５の説明を行うと、前記鏡体部８０の内部にはロック部１２６が設けられている。このロック部１２６は紙面に垂直な回転軸Ｏ12まわりに回動自在に取り付けられている。前記ロック部１２６には作用アーム１２７が設けられている。前記ロック部１２６にはコイルバネ１２８の一端が紙面に垂直な回転軸Ｏ13まわりに回動自在に固定され、この他端は前記鏡体部８０の一部に固定され、常にコイルバネ１２８を縮める方向に力が作用している。
【０１３９】
前記変倍ノブ１２５にはバネ受け部１２９が設けられ、このバネ受け部１２９には圧縮バネ１３０の一端が支持され、一端は前記鏡体部８０の一部に固定されている。前記バネ受け部１２９の側壁には係合孔からなる爪受け部１３１が設けられ、前記ロック部１２６には前記爪受け部１３１と係脱可能な爪部１３２が設けられている。なお、１３３は前記ロック部１２６の回転軸Ｏ12まわりの回転を規制するストッパーである。１３４は前記変倍ノブ１２５と同一形状を有し、該変倍ノブ１２５に嵌着可能な繰り返し滅菌可能な滅菌キャップである。
【０１４０】
以上のような構成により、顕微鏡７９に予め滅菌消毒された滅菌キャップ部１２２を含む滅菌ドレープ７１及び滅菌キャップ１３４を装着し、顕微鏡７９を滅菌状態として使用する場合には、予め変倍ノブ１２５を回転軸Ｏ11の軸方向へ圧縮バネ１３０を圧縮しながら押し込むことにより、前記バネ受け部１２９が前記ロック部１２６に設けられた作用アーム１２７を押し、ロック部１２６を前記回転軸Ｏ12まわりに矢印１３５方向へ回転させる。
【０１４１】
すると、コイルバネ１２８の回転軸Ｏ13が該コイルバネ１２８の変曲点を越えるため、コイルバネ１２８の引っ張り作用により、ロック部１２６は前記コイルバネ１２８により前記回転軸Ｏ12まわりに矢印１３５方向へ回転させられる。このとき、前記ロック部１２６に設けられた爪部１３２が前記バネ受け部１２９に設けられた爪受け部１３１に引っ掛かることにより、図４２（ｂ）に示されるように、前記変倍ノブ１２５は鏡体部８０の外表面に対し同一面で固定される。
【０１４２】
次に、第９の実施形態と同様に前記滅菌キャップ部１２２を含む滅菌ドレープ７１を装着し、前記滅菌キャップ部１２２を鏡体部８０に対し固定する。更に、前記変倍ノブ１２５を再び回転軸Ｏ10の軸方向に押し込むと、前記爪部１３２が前記爪受け部１３１により押され、再びコイルバネ１２８の回転軸Ｏ13が変曲点を越えるため、コイルバネ１２８の引っ張り力により前記ロック部１２６は回転軸Ｏ12まわりに矢印１３５とは逆方向へ、前記ストッパー１３３に突き当たるまで回転する。よって、前記爪部１３２と前記爪受け部１３１の引っ掛かりが無くなり、かつ圧縮バネ１３０の戻り作用により、図４２（ａ）に示すように前記変倍ノブ１２５は再び前記鏡体部８０の外表面に対し突出する。次に、前記変倍ノブ１２５に予め滅菌消毒された滅菌キャップ１３４を装着することにより前記顕微鏡７９の全体を滅菌物にて覆うことができる。
【０１４３】
手術後、前記滅菌キャップ部１２２を含む滅菌ドレープ７１及び変倍ノブ用の滅菌キャップ１３４を取り外す場合には、取り付ける場合と逆の手順にて取り外すことが可能である。
【０１４４】
したがって、前記滅菌キャップ部１２２を前記鏡体部８０に装着する際に、邪魔になる変倍ノブ１２５の突出を無くすことができるので、前記滅菌キャップ部１２２の装着性が非常に良い上、前記滅菌キャップ部１２２を小型・軽量とすることが可能であるので、顕微鏡７９本来の性能を十分発揮することができる。さらに、前記変倍ノブ１２５が前記鏡体部８０に対し、進退可能であるのみで分離不可能であるため、術者あるいは作業者が誤って変倍ノブ１２５を紛失する虞がない。
【０１４５】
前記実施態様によれば、次のような構成が得られる。
【０１４６】
（付記１）鏡体と、この鏡体全体を覆うことができる滅菌可能なキャップと、前記鏡体に設けられ前記キャップを保持する保持部とを具備したことを特徴とする手術用顕微鏡。
【０１４７】
（付記２）前記鏡体の保持部と前記キャップの取付部の一方を凸部、他方を凹部で構成した付記１記載の手術用顕微鏡。
【０１４８】
（付記３）前記保持部の凸部は、前記鏡体を操作するための操作ノブである付記１記載の手術用顕微鏡。
【０１４９】
（付記４）前記保持部は、前記鏡体と前記キャップとのうち一方に電磁部材、他方に金属部材が設けられて構成されている付記１記載の手術用顕微鏡。
【０１５０】
（付記５）前記電磁部材は、電磁コイルである付記４記載の手術用顕微鏡。
【０１５１】
（付記６）前記電磁部材は、永久磁石である付記４記載の手術用顕微鏡。
【０１５２】
（付記７）前記キャップは、オートクレープ滅菌が可能な弾性材料から形成されている付記１記載の手術用顕微鏡。
【０１５３】
（付記８）前記鏡体の可動部を覆うキャップは、可動自在である付記１記載の手術用顕微鏡。
【０１５４】
（付記９）前記キャップは、２分割されている付記１記載の手術用顕微鏡。
【０１５５】
（付記１０）前記キャップは、鏡体の可動部に対応し、一部に変形可能な可撓部が設けられている付記１記載の手術用顕微鏡。
【０１５６】
（付記１１）前記キャップには可撓性材料が挿入されている付記１記載の手術用顕微鏡。
【０１５７】
（付記１２）変形可能な可撓部は、蛇腹である付記１０記載の手術用顕微鏡。
【０１５８】
（付記１３）可撓性材料は、金属板である付記１１記載の手術用顕微鏡。
【０１５９】
（付記１４）前記キャップは、オートクレーブ滅菌が可能な硬質材料及び一部弾性材料から形成される付記１記載の手術用顕微鏡。
【０１６０】
（付記１５）前記キャップには板ばねが挿入されている付記１記載の手術用顕微鏡。
【０１６１】
（付記１６）前記キャップには形状記憶合金が挿入されている付記１記載の手術用顕微鏡。
【０１６２】
（付記１７）前記オートクレーブ滅菌が可能な弾性材料は、ゴムで形成されている付記７記載の手術用顕微鏡。
【０１６３】
（付記１８）前記キャップは、スリットを有することを特徴とする付記１記載の手術用顕微鏡。
【０１６４】
（付記１９）手術用顕微鏡に覆い被せることによって、手術用顕微鏡の外表面を滅菌状態に保つ滅菌ドレープにおいて、手術用顕微鏡の可動部には変形可能な部材を配置し、前記可動部以外の部分には、手術用顕微鏡に固定可能で、かつ変形不可能な部材を配置して構成したことを特徴とする滅菌ドレープ。
【０１６５】
（付記２０）前記変形可能な部材を、滅菌ドレープの開口部に配置するとともにその開口径を拡大縮小可能としたことを特徴とする付記１９記載の滅菌ドレープ。
【０１６６】
（付記２１）前記変形可能な部材と変形不可能な部材とが別体で構成されていることを特徴とする付記１９記載の滅菌ドレープ。
【０１６７】
（付記２２）前記変形不可能な部材に変形可能な部材を収納もしくは破断する手段を有したことを特徴とする付記２１記載の滅菌ドレープ。
【０１６８】
（付記２３）前記変形不可能な部材に手術具を保持する手段を有したことを特徴とする付記１９または２１記載の滅菌ドレープ。
【０１６９】
（付記２４）前記変形可能な部材が単純な筒状をなすとともに、各断面毎、前記筒状の断面を象った環状収納部材に収納されていることを特徴とする付記２２記載の滅菌ドープ。
【０１７０】
（付記２５）前記変形不可能な部材を固定する際に邪魔になる操作ツマミの突出をなくす手段を有したことを特徴とする手術用顕微鏡。
【０１７１】
（付記２６）前記突出をなくす手段が操作ツマミの着脱機構から構成されていることを特徴とする付記２５記載の手術用顕微鏡。
【０１７２】
（付記２７）前記突出をなくす手段が操作ツマミの進退機構から構成されていることを特徴とする付記２５記載の手術用顕微鏡。
【０１７３】
付記１９によれば、手術用顕微鏡に覆い被せる滅菌ドレープで、手術用顕微鏡の可動部に変形可能な部材を配置し、前記可動部以外の部分に手術用顕微鏡に固定可能で、かつ変形不可能な部材を配置することにより、ドレープで手術用顕微鏡全体を覆うが、このとき、変形不可能な部材は相対する手術用顕微鏡部分に固定される。
【０１７４】
付記２０によれば、前記変形可能な部材を滅菌ドレープの開口部に配置するとともにその開口径を拡大縮小可能にする。覆い被せるときには開口径が拡大し、覆い被せた後は縮小する。
【０１７５】
付記２１によれば、前記変形可能な部材と前記変形不可能な部材を別体にすることにより、変形可能な部材のみで手術用顕微鏡全体を覆った後に変形不可能な部材が相対する手術用顕微鏡部分に前記変形可能な部材を介して固定される。
【０１７６】
付記２２によれば、前記変形不可能な部材が変形可能な部材を収納もしくは破断する手段を有することにより、前記変形可能な部材を介して変形不可能な部材を固定する際に、変形不可能な部材に変形可能な部材の一部が収納されるかもしくは変形不可能な部材によって変形可能な部材の一部が破断される。
【０１７７】
付記２３によれば、前記変形不可能な部材が別の方法で滅菌された手術具を保持する手段を有することにより、相対する手術用顕微鏡部分に変形不可能な部材を固定した後に、変形不可能な部材に別の方法で滅菌された手術具が保持される。
【０１７８】
付記２４によれば、前記変形可能な部材が単純な筒状をなし、各断面毎に前記筒状の断面を象った環状収納部材に収納されることにより、環状収納部材を手術用顕微鏡に通すと、変形可能な部材が順次環状収納部材から繰り出し手術用顕微鏡を覆う。
【０１７９】
付記２５によれば、手術用顕微鏡が前記変形不可能な部材を固定する際に邪魔になる操作ツマミの突出をなくす手段を有することにより、変形不可能な部材を固定する前に手術用顕微鏡の操作ツマミの突出をなくす。
【０１８０】
付記２６によれば、前記手術用顕微鏡の操作ツマミをなくす手段は操作ツマミの着脱機構であるため、変形不可能な部材を固定する前に操作ツマミを外す。
【０１８１】
付記２７によれば、前記手術用顕微鏡の操作ツマミをなくす手段は、操作ツマミの進退機構であるため、変形不可能な部材を固定する前に操作ツマミを押し込んでへこますことができる。
【０１８２】
前記付記１９によれば、変形可能な部材により従来の手術用顕微鏡の運動性能を損わずに、また変形不可能な部材を手術用顕微鏡と同一外観形状にすることにより従来発生していたたるみをなくし、さらに前記変形不可能な部材を手術用顕微鏡に固定可能にすることにより、従来手術用顕微鏡操作時に発生していたすべりをなくし、これにより従来の問題が解決でき手術効率が向上した。
【０１８３】
付記２０によれば、滅菌ドレープの開口部を拡大縮小可能にしたことにより、変形不可能な部材を配置したことにより劣化した装着性能を再び向上できた。
【０１８４】
付記２１によれば、変形可能な部材と変形不可能な部材を別体にしたことにより従来通りの装着性能が得られる。
【０１８５】
付記２２によれば、変形不可能な部材に変形可能な部材を収納もしくは破断する手段を有したことにより余分なたるみを一層なくせる。また変形可能な部材を単純な形状にしても余分なたるみをなくし得るので変形可能な部材の装着性が向上するとともにコスト低減も図れる。さらに破断する手段を有した場合は従来のごとく手術用顕微鏡自体に不用意な力をかけることがないため故障も減少する。
【０１８６】
付記２３によれば、変形不可能な部材が手術用顕微鏡と確実に固定されているのを生かし、その部分に手術具を保持する手段を有したことにより、別の方法で滅菌された手術具を不潔にすることなく手術用顕微鏡に固定できる。
【０１８７】
付記２４によれば、変形可能な部材が単純な筒状をなすとともに、各断面毎前記筒状の断面を象った環状収納部材に収納されていることにより、装着時に外側か内側かの区別がつきやすく、さらに装着自体環状収納部材を手術用顕微鏡に通すだけなので非常にやりやすい。
【０１８８】
付記２５〜２７によれば、変形不可能部材を手術用顕微鏡に装着するとき邪魔になる突出がないので装着しやすい上、変形不可能部材の大きさを小型・軽量にでき、手術用顕微鏡本来の性能を十分に発揮できる。
【０１８９】
また、一般に、手術用顕微鏡下で行われるいわゆるマイクロサージャリにおいては、患者の感染防止のためドレープを使用したり、手術用顕微鏡本体を滅菌して手術を行っている。手術用顕微鏡本体を滅菌する方法としては滅菌部位を袋で包みテープを貼って密封し、前記袋の内部に挿入した薬液容器内部から袋内に発散するエチレンオキサイドガスによる滅菌方法が一般的に知られている。また特公平３−１７４９３公報においては手術室側壁部に形成された手術用顕微鏡収納ボックス内に設けられた滅菌装置により滅菌をおこなう方法が開示されている。
【０１９０】
しかしながら、前記ドレープを使用した場合、手術中に行われる微妙な正確さを要する鏡体位置決め操作において、鏡体支持装置の可動部付近で前記ドレープが突っ張ったり、また操作ハンドルを握った手がドレープにより滑ったりして、その操作性が妨げられているのが現状である。
【０１９１】
また、本来エチレンオキサイドガスは充分な滅菌効果を得るには４０℃〜６０℃で使用し、しかも気圧を高めて目的とする全ての部位に行きわたらせる必要があるため、薬液容器を使用した常温、常圧下での滅菌方法では滅菌作用が不完全となる可能性があり、安心して手術に使用できない。さらに、この方法では滅菌作業後は長時間放置して人体に有毒な残留エチレンオキサイドを除去する必要があり手術数が多い場合に対応しきれない。
【０１９２】
次に、手術室側壁部に形成された収納ボックス内に設けられた滅菌装置では手術室に特別の工事が必要であるとともに、手術用顕微鏡とベッドとの位置関係が固定的になるためあらゆる術式に対応できなくなる。また手術用顕微鏡の移動ができないため、１台の手術用顕微鏡を複数の手術室で使用することができない。さらに、近年、手術用顕微鏡は著しい速さで技術進歩しており、買い替えのサイクルが短くなっているが、買い替えのたびに大がかりな工事が必要で費用がかさむ上、工事期間中は手術が行えないという問題がある。
【０１９３】
そこで、短時間に確実に滅菌を施せて感染に対し安心して使用でき、しかも置き場所が自由で使いやすい手術用顕微鏡を開発した。
【０１９４】
図４３は第１の開示例の手術用顕微鏡の全体構成を示す断面図で、図４４は滅菌過程における滅菌室内部の圧力変化を示す図である。図４３に示すように、架台１４１はその底部に移動用キャスタ１４２が設けられているとともに、上端には２段パンタグラフアーム１４３が軸Ｏａを中心に回動自在に取り付けられている。前記２段パンタグラフアーム１４３はバランス機構を有し、先端には鏡体アーム１４４が軸Ｏｂを中心に回動自在に取り付けられている。鏡体アーム１４４には蓋１４５が設けられており、下方には鏡体１４６が軸Ｏｃを中心に回動自在に取り付けられている。
【０１９５】
また、架台１４１の内部には温度、湿度、気圧を計測するセンサー１４７を備えた滅菌室１４８及び滅菌室１４８を包囲するように配置された温水層１４９が設けられており、温水層１４９は温水層１４９の内部を満たしている液体１５０を加熱するための電熱器１５１を備えている。また、前記滅菌室１４８の上部にはパッキン１５２を備え、前記蓋１４５と互いに嵌合する形状の開口部１５３を有し、該開口部１５３付近に蓋１４５を固定するための止め具１５４を設けている。
【０１９６】
また、滅菌室１４８には弁１５５ａ，１５５ｂを備えた配管１５６ａ，１５６ｂおよび配管１５６ｃが流体移動可能に接続され、さらに配管１５６ａには弁１５５ａに対し、滅菌室１４８側に位置する部分に配管１５６ｄが接続され配管１５６ｄは弁１５５ｄを備えている。配管１５５ａは架台１４１の外部に開口し、配管１５６ｂ，１５６ｃ，１５６ｄはそれぞれエチレンオキサイド（以下、ＥＯＧという）ガスボンベ１５７、加湿装置１５８、真空装置１５９に流体移動可能に接続されている。さらに、真空装置１５９は架台１４１の外部に開口している配管１５６ｅを備えている。弁１５５ａ、１５５ｂ、１５５ｄ及びセンサー１４７、電熱器１５１、加湿装置１５８、真空装置１５９は電気的にコントロールユニット１６０に接続されている。
【０１９７】
次に、前述のように構成された手術用顕微鏡の作用を説明する。まず、滅菌準備について説明する。通常、図４３で破線で示すような位置にある鏡体１４６を２段パンタグラフアーム１３の動作により滅菌室１４８内に導入し、蓋１４５を開口部１５３に嵌め込み、止め具１５４により蓋１４５とパッキン１５２が密着した状態で固定し、滅菌室１４８内を密封する。
【０１９８】
次に、コントロールユニット１６０により制御される滅菌装置の経時的な動作及び作用を図４４に従って説明する。ｔ０以前は弁１５５ａ，１５５ｂ，１５５ｄがすべて閉じ、真空装置１５９、加熱器１５１、加湿装置１５８がすべてＯＦＦのいわゆる初期状態になっている。ｔ０で弁１５５ｄを開放し、真空装置１５９をＯＮにすると、滅菌室１４８内の気体が配管１５５ｅから強制的に外部に放出されｔ１までに滅菌室１４８内は真空状態になる。次に、ｔ２で真空装置１５９をＯＦＦにし、弁１５５ｄを閉じ、弁１５５ｂを開放すると、ＥＯＧガスボンベ１５７から滅菌室１４８内にＥＯＧガスが導入される。ガスボンベ１５７内は高圧なので滅菌室１４８内が大気圧以上になってもＥＯＧガスは滅菌室１４８内に導入されつづける。
【０１９９】
ｔ２では同時に電熱器１５１がＯＮになり、温水層１４９内の液体１５０が加熱され、その熱が伝わって滅菌室１４８の内部の温度が全体ほぼ均一的に上昇する。さらに、ｔ２で加湿装置１５８もＯＮになり、蒸気を発生し滅菌室１４８内の湿度を高める。センサー１４７の感知した気圧が設定値ｐに達したｔ３で弁１５５ｂを閉じ、滅菌室１４８内へのＥＯＧガスの導入を止め気圧を一定させる。また、ｔ３の前後でセンサー１４７が感知する滅菌室１４８内の温度、湿度もそれぞれ設定値ｑ、ｒに達し電熱器１５１、加湿装置１５８をＯＦＦにする。
【０２００】
さらに、前記設定値ｑ，ｒよりわずかに低い第２の設定値ｑ２，ｒ２まで滅菌室１４８内温度、湿度が低下したら電熱器１５１、加湿装置１５８を各々の再びＯＮにする。その後も、設定値ｑとｑ２，ｒとｒ２の間で、前記ＯＮ／ＯＦＦを繰り返しｔ３から設定された滅菌に必要な時間δｔ経過後のｔ４まで滅菌室１４８内の温度、湿度をほぼ一定に保つ。このｔ３からｔ４までの間、滅菌室１４８内は適度の気圧でＥＯＧガスが隅々までゆきわたり、滅菌に適した温度、気圧に保たれるので、鏡体１４６は充分に滅菌される。滅菌が済んだｔ４で電熱器１５１及び加湿装置１５８をＯＦＦにし滅菌室８内の温度を常温まで自然冷却する。ｔ５でセンサー１４７が滅菌室１４８内が常温になったことを感知して弁１５５ｄを開放し、真空装置１５９をＯＮにして滅菌室１４８内のガスをすべて配管１５６ｅ外部に強制排出し、ｔ６でセンサー１４７が滅菌室１４８内が真空状態になったことを感知して弁１５５ｄを閉じ、弁１５５ａを開放する。すると滅菌室１４８内は外気より気圧が低くなっているので外部の空気が滅菌室１４８内に自然吸気される。しかし、この時点ではまだ滅菌室１４８内壁及び鏡体１４６内部あるいは外表面にエチレンオキサイドが残留しているので、前記強制排出と前記自然吸気を設定回数、設定時間感覚で繰り返すエアレーションを行い、前記残留を除去しｔ７に至り全滅菌工程を終了する。
【０２０１】
したがって、滅菌室１４７内の空気をすべて排出した上でＥＯＧガスを適度な圧力で滅菌室１４７内に導入し、さらに滅菌室１４７内を滅菌に適した温度、湿度に保つので鏡体１４６の内部まで確実に滅菌することができる。また滅菌後、そのままエアレーションを行うのでエチレンオキサイドの残留がなく、即時に手術用顕微鏡の使用ができる。さらに、架台１４１の底部にキャスタ１４２を設けたので、手術用顕微鏡の移動ができ、置き場所が自由で実用上便利である。
【０２０２】
図４５は第２の開示例の手術用顕微鏡の全体構成を示す断面図であり、本開示例はあらゆる構造の鏡体支持アームを備える手術用顕微鏡においても第１の開示例と同様の滅菌方法を施せるようにすることを目的とした滅菌装置である。
【０２０３】
図４５において、第１の開示例と同一構成部分には同一番号を付して説明を省略する。架台１４１は支柱１６１と、該支柱１６１を支えるベース１６２とから構成され、ベース１６２にはＥＯＧガスボンベ１５７、加湿装置１５８、真空装置１５９、コントロールユニット１６０が内蔵され、支柱１６１の上端にはアーム装置１６３が軸Ｏｄを中心に回動自在に取り付けられ、該アーム装置１６３の先端には鏡体アーム１４４が軸Ｏｅを中心に回動自在に取り付けられている。
【０２０４】
支柱１６１には２段パンダグラフアーム１６４が固定され、２段パンダグラフアーム１６４の他端には滅菌室１４８、温水層１４９、電熱器１５１を内蔵した滅菌ボックス１６５が固定されている。弁１５５ｄを備えたホース１６６ｄは配管１５５ｄに接続し、他端は真空装置１５９に接続されている。ホース１６６ｃの一端は配管１５６ｃに、この他端は加湿装置１５８に接続されている。弁１５５ｂを備えたホース１６６ｂは配管１５６ｂに接続され、他端はＥＯＧガスボンベ１５７に接続されている。なお、弁１５５ａ，電熱器１５１およびセンサー１４７とコントロールユニット１６０を接続するケーブル１６７，１６８，１６９は前記２段パンタグラフアーム１６４に内蔵されている。
【０２０５】
次に、前述のように構成された手術用顕微鏡の作用を説明する。図４５で示すような位置に滅菌ボックス１６５を２段パンタグラフアーム１６４の動作により移動して鏡体１４６を滅菌室１４８の内部に導入し、滅菌室１４８内を密封する。ホース１６６ｂ，１６６ｃ，１６６ｄにより滅菌室１４８とＥＯＧガスボンベ１５７、加湿装置１５８、真空装置１５９の間で、それぞれ流体移動が可能であり、第１の開示例で述べた手順と同様の滅菌作業が行われる。
【０２０６】
したがって、種々の機能を備えるために、様々な形態をした鏡体支持アームを備える手術用顕微鏡においても、このように滅菌ボックス１６５を支持するアーム装置１６３を架台１４１に設けることで、第１の開示例と同様の滅菌を施すことができる。
【０２０７】
図４６は第３の開示例の手術用顕微鏡の全体構成を示す断面図であり、本開示例は第２の開示例において滅菌装置を鏡体支持装置に対して着脱自在にし、システム選択性を拡大しユーザーニーズに対応することを目的としたものである。
【０２０８】
図４６において、第１、第２の開示例と同一構成部分には同一番号を付して説明を省略する。架台１７０は支柱１７１と、該支柱１７１を支えるベース１７２とから構成されている。支柱１７１にはフック１７３、角穴１７４、ネジ部１７５が設けられ、ベース１７２の上面には凹部１７６が設けられている。
【０２０９】
ＥＯＧガスボンベ１５７、加湿装置１５８、真空装置１５９、コントロールユニット１６０を内蔵する滅菌ユニット１７７には前記フック１７３に引っかかる長穴１７８が設けられている。２段パンタグラフアーム１６４の一端には前記角穴１７４と嵌合する角棒部１７９および前記ネジ部１７５と噛合する雌ネジを有する固定リング１８０が設けられ、他端には滅菌ボックス１６５が固定されている。
【０２１０】
次に、支柱１７１への滅菌装置の取り付け手順を述べる。フック１７３に長穴１７８を合わせ、滅菌ユニット１７７をベース１７２の凹部１７６に落とし込む。次に、角棒部１７９を角穴１７４に差し込み、ネジ部１７５に固定リング１８０をねじ込み、２段パンタグラフアーム１６５を支柱１７１に固定する。取り外しはこれと逆の手順で行う。
【０２１１】
したがって、滅菌装置が着脱自在となり、例えば以前はドレープを使用していた手術室で、ドレープを好まない後任医師に交代した場合、滅菌装置を後から付け加えることで鏡体滅菌する方法に切り換えられる等、システム選択性が拡大しユーザーニーズに対応することができる。
【０２１２】
前記第１〜第３の開示例によれば、鏡体に確実に滅菌を施せるので、感染に対し安心して使用でき、しかもエアレーションを短時間で行うので、即時に手術用顕微鏡を使用できる。さらに手術用顕微鏡の移動ができるので、置き場所が自由で実用上使い易いという効果がある。
【０２１３】
前述した手術用顕微鏡によれば、次の構成が得られる。
【０２１４】
（付記２８）鏡体支持装置を有する手術用顕微鏡において、該支持装置に滅菌装置を具備したことを特徴とする手術用顕微鏡。
【０２１５】
（付記２９）前記滅菌装置の滅菌室内は気体圧力が可変であることを特徴とする付記２８記載の手術用顕微鏡。
【０２１６】
（付記３０）前記滅菌装置の滅菌室内は気体温度が可変であることを特徴とする付記２８記載の手術用顕微鏡。
【０２１７】
（付記３１）前記滅菌装置で滅菌に使用するガスは酸化エチレンオキサイドガスであることを特徴とする付記２８記載の手術用顕微鏡。
【０２１８】
（付記３２）前記滅菌装置で滅菌に使用するガスはホルマリンガスであることを特徴とする付記２８記載の手術用顕微鏡。
【０２１９】
（付記３３）前記滅菌装置が前記支持装置の支柱部分に内蔵、または一体に設けられていることを特徴とする付記２８記載の手術用顕微鏡。
【０２２０】
（付記３４）前記支持装置が鏡体を前記滅菌室に導く構造、配置のアームを有することを特徴とする付記２８記載の手術用顕微鏡。
【０２２１】
（付記３５）前記アームは少なくとも２つのパンタグラフ構造からなることを特徴とする付記３４記載の手術用顕微鏡。
【０２２２】
（付記３６）前記支持装置を支えるベース部に移動用キャストを備えていることを特徴とする付記２８記載の手術用顕微鏡。
【０２２３】
（付記３７）鏡体支持装置を有する手術用顕微鏡において、鏡体支持用の第１のアームとは別に該支持装置の支柱部分に固定された第２のアームを有し、該第２のアームの先端に滅菌装置を具備したことを特徴とする手術用顕微鏡。
【０２２４】
（付記３８）前記滅菌装置が前記第２のアーム先端に備えた滅菌室部と、支持装置に固定された滅菌装置本体の２体に分かれ、少なくとも１本のホースにより互いに流体の交換がなされることを特徴とする付記３７記載の手術用顕微鏡。
【０２２５】
（付記３９）前記滅菌装置が前記支持装置に着脱自在に取り付けられていることを特徴とする付記３７記載の手術用顕微鏡。
【０２２６】
【発明の効果】
以上説明したように、この発明によれば、鏡体全体を容易に滅菌状態にすることができると共に、鏡体に対するキャップの装着が簡単であるため、手術前の準備に手間が掛からなくすることができる。また、鏡体にキャップを取り付ける作業者によって全体の形状が変わってしまうことがなく、常に同様な形状で手術用顕微鏡を使用することができ、手術用顕微鏡の操作性や術者の視野を妨げるような取り付け方をする虞がないという効果がある。
【図面の簡単な説明】
【図１】この発明の第１の実施形態を示す鏡体の斜視図。
【図２】同実施形態のキャップを示す斜視図。
【図３】同実施形態の鏡体の保持部を示す側面図。
【図４】同実施形態のキャップの取付部の縦断側面図。
【図５】同実施形態のキャップを示す斜視図。
【図６】同実施形態の保持部と取付部の作用説明図。
【図７】同実施形態の保持部と取付部の作用説明図。
【図８】この発明の第２の実施形態を示す鏡体の斜視図。
【図９】同実施形態のキャップの斜視図。
【図１０】同実施形態の視度調整リングと視度調整キャップとの関係を示す縦断側面図。
【図１１】同実施形態の眼幅調整ノブと眼幅調整キャップとの関係を示す縦断側面図。
【図１２】同実施形態の変形例を示す断面図。
【図１３】この発明の第３の実施形態を示す鏡体の斜視図。
【図１４】同実施形態のキャップの斜視図。
【図１５】この発明の第４の実施形態を示す鏡体の斜視図。
【図１６】同実施形態のキャップの斜視図。
【図１７】同実施形態の鏡体とキャップとの関係を示す断面図。
【図１８】同実施形態のカバー部の斜視図。
【図１９】同実施形態のカバー部の一部を示す斜視図。
【図２０】同実施形態のカバー部の断面図。
【図２１】この発明の第５の実施形態を示す滅菌ドレープの斜視図。
【図２２】同実施形態の手術用顕微鏡の斜視図。
【図２３】同実施形態の滅菌ドレープの一部を示す斜視図。
【図２４】この発明の第６の実施形態を示す滅菌ドレープの斜視図。
【図２５】同実施形態の滅菌キャップを示す斜視図。
【図２６】同実施形態の滅菌キャップの縦断側面図。
【図２７】同実施形態の滅菌キャップの縦断側面図。
【図２８】同実施形態の鏡体部と接眼鏡筒部の斜視図。
【図２９】同実施形態の接眼レンズの縦断側面図。
【図３０】同実施形態の手術用顕微鏡に滅菌ドレープを装着した状態の斜視図。
【図３１】同実施形態の作用説明図。
【図３２】同実施形態の作用説明図。
【図３３】同実施形態のキャップに滅菌ドレープを収納した状態の断面図。
【図３４】この発明の第７の実施形態を示すキャップと手術器具の斜視図。
【図３５】この発明の第８の実施形態を示す滅菌ドレープの斜視図。
【図３６】同実施形態の滅菌ドレープの収納状態の断面図。
【図３７】この発明の第９の実施形態の鏡体を示す斜視図。
【図３８】同実施形態の鏡体を示す斜視図。
【図３９】同実施形態のノブの縦断側面図。
【図４０】同実施形態を示すキャップの斜視図。
【図４１】この発明の第１０の実施形態を示す鏡体部の斜視図。
【図４２】同実施形態の変倍ノブの縦断側面図。
【図４３】第１の開示例の手術用顕微鏡の縦断側面図。
【図４４】同開示例の滅菌室内部の圧力変化を示す図。
【図４５】第２の開示例の手術用顕微鏡の縦断側面図。
【図４６】第３の開示例の手術用顕微鏡の縦断側面図。
【符号の説明】
１…鏡体、２…本体部、３…鏡筒部、４…対物レンズ、５…接眼レンズ、７…保持部、８…キャップ、９…取付部。
【図１】
0003704381.tif 000002
【図２】
0003704381.tif 000003
【図３】
0003704381.tif 000004
【図４】
0003704381.tif 000005
【図５】
0003704381.tif 000006
【図６】
0003704381.tif 000007
【図７】
0003704381.tif 000008
【図８】
0003704381.tif 000009
【図９】
0003704381.tif 000010
【図１０】
0003704381.tif 000011
【図１１】
0003704381.tif 000012
【図１２】
0003704381.tif 000013
【図１３】
0003704381.tif 000014
【図１４】
0003704381.tif 000015
【図１５】
0003704381.tif 000016
【図１６】
0003704381.tif 000017
【図１７】
0003704381.tif 000018
【図１８】
0003704381.tif 000019
【図１９】
0003704381.tif 000020
【図２０】
0003704381.tif 000021
【図２１】
0003704381.tif 000022
【図２２】
0003704381.tif 000023
【図２３】
0003704381.tif 000024
【図２４】
0003704381.tif 000025
【図２５】
0003704381.tif 000026
【図２６】
0003704381.tif 000027
【図２７】
0003704381.tif 000028
【図２８】
0003704381.tif 000029
【図２９】
0003704381.tif 000030
【図３０】
0003704381.tif 000031
【図３１】
0003704381.tif 000032
【図３２】
0003704381.tif 000033
【図３３】
0003704381.tif 000034
【図３４】
0003704381.tif 000035
【図３５】
0003704381.tif 000036
【図３６】
0003704381.tif 000037
【図３７】
0003704381.tif 000038
【図３８】
0003704381.tif 000039
【図３９】
0003704381.tif 000040
【図４０】
0003704381.tif 000041
【図４１】
0003704381.tif 000042
【図４２】
0003704381.tif 000043
【図４３】
0003704381.tif 000044
【図４４】
0003704381.tif 000045
【図４５】
0003704381.tif 000046
【図４６】
0003704381.tif 000047